(57)【要約】      （修正有）【課題】放熱効率を向上した放熱装置を提供する。【解決手段】放熱対象９から熱を吸収して放出させる放熱装置であって、冷媒が貯蔵されている冷媒貯蔵ユニット４と、一面３１が前記放熱対象に接触することができ、且つ、いずれの下端も冷媒貯蔵ユニット４の一端に連通して前記冷媒貯蔵ユニット４に貯蔵されている冷媒が流れ込むことができる複数の縦方向流路が内部空間に区切られている熱交換ユニット３と、を備えていることを特徴とする放熱装置を提供する。【選択図】図３
0003181289.tif 000002
【実用新案登録請求の範囲】
【請求項１】
放熱対象から熱を吸収して放出させる放熱装置であって、
冷媒が貯蔵されている冷媒貯蔵ユニットと、
一面が前記放熱対象に接触することができ、且つ、いずれの下端も前記冷媒貯蔵ユニットの一端に連通して前記冷媒貯蔵ユニットに貯蔵されている冷媒が流れ込むことができる複数の縦方向流路が内部空間に区切られている熱交換ユニットと、を備えていることを特徴とする放熱装置。
【請求項２】
前記複数の縦方向流路のいずれの上端及び前記冷媒貯蔵ユニットの他端に連通していて、前記複数の縦方向流路に流れ込んだ冷媒を前記冷媒貯蔵ユニットに回流させる回流ユニットを更に備えていることを特徴とする請求項１に記載の放熱装置。
【請求項３】
前記熱交換ユニットには、前記放熱対象に接触できる前記一面の反対側の他の一面に複数の放熱フィンが立設されていることを特徴とする請求項１または請求項２に記載の放熱装置。
【請求項４】
前記熱交換ユニットの内部空間には、前記複数の縦方向流路の上端と共に連通して、前記複数の縦方向流路を連通させている横方向流路が区切られていることを特徴とする請求項１に記載の放熱装置。
【請求項５】
前記熱交換ユニットには、放熱ファンが複数の放熱フィンを介して前記熱交換ユニットの他の一面側に配置されていることを特徴とする請求項１または請求項２に記載の放熱装置。
【考案の詳細な説明】
【技術分野】
【０００１】
本考案は放熱装置に関し、特に、放熱対象に設置されて該放熱対象の発した熱を吸収して発散させる放熱装置に関する。
【背景技術】
【０００２】
図１及び図２に示されているのは、特許文献１により開示された従来の放熱装置の一例であり、そのうち図１はその斜視図であり、図２はその内部構成が示されている横断面図である。
【０００３】
図１に示されているように、該従来の放熱装置１は、底板１０を放熱対象に設置することによって、該放熱対象から熱を吸収して底板１０の上面に形成されている多数の放熱フィン１１で放熱するものである。
【０００４】
また、図２に図示されているように、底板１０の内部には中空１００が形成されており、この中空１００は複数の冷媒流路１０１が縦横交錯するように構成されている。
【０００５】
底板１０が放熱対象から吸収した熱によって加熱された冷媒は、冷媒流路１０１に沿って対流して流れながら熱を底板１０の上面に形成されている放熱フィン１１に伝え発散させることができる。
【０００６】
しかし、この従来の放熱装置１は、通常決まった流れ方向を有しない冷媒を冷媒流路１０１内で対流させることにより放熱するものであるが、その構成には冷媒が温度の高低に応じて対流できる高度差があまりないため、蒸発した気体の冷媒は気化前の液体冷媒と一緒に冷媒流路１０１内に詰り、冷媒の相転移を放熱に効率的に利用することができない事例が往々にしてあるので、まだ改善する余地がかなり残っている。
【先行技術文献】
【特許文献】
【０００７】
【特許文献１】台湾特許第Ｍ２６１９７２号明細書
【考案の概要】
【考案が解決しようとする課題】
【０００８】
上記問題点に鑑みて、本考案は、放熱対象に設置されて該放熱対象の熱を吸収して発散させる放熱装置であって、その冷媒の相転移が従来より円滑で、放熱効率がより一層向上された放熱装置の提供を目的とする。
【課題を解決するための手段】
【０００９】
上記目的を達成すべく、本考案は、放熱対象から熱を吸収して放出させる放熱装置であって、冷媒が貯蔵されている冷媒貯蔵ユニットと、一面が前記放熱対象に接触することができ、且つ、いずれの下端も前記冷媒貯蔵ユニットの一端に連通して前記冷媒貯蔵ユニットに貯蔵されている冷媒が流れ込むことができる複数の縦方向流路が内部空間に区切られている熱交換ユニットと、を備えていることを特徴とする放熱装置を提供する。
【００１０】
上記放熱装置において、前記複数の縦方向流路のいずれの上端及び前記冷媒貯蔵ユニットの他端に連通していて、前記複数の縦方向流路に流れ込んだ冷媒を前記冷媒貯蔵ユニットに回流させる回流ユニットを更に備えていることが好ましい。
【００１１】
上記放熱装置において、前記熱交換ユニットには、前記放熱対象に接触できる前記一面の反対側の他の一面に複数の放熱フィンが立設されていることが好ましい。
【００１２】
上記放熱装置において、前記熱交換ユニットの内部空間には、前記複数の縦方向流路の上端と共に連通して、前記複数の縦方向流路を連通させている横方向流路が区切られていることが好ましい。
【００１３】
上記放熱装置において、前記熱交換ユニットは、放熱ファンが複数の放熱フィンを介して前記熱交換ユニットの他の一面側に配置されていることが好ましい。
【考案の効果】
【００１４】
上記構成により、本考案は放熱対象から吸収した熱が冷媒貯蔵ユニットに伝わると、冷媒貯蔵ユニットに貯蔵されている冷媒がその熱によって気化され、気化された冷媒は熱交換ユニットの内部空間に区切られている複数の縦方向流路に沿って上昇して、熱交換ユニットと冷媒貯蔵ユニットとの間に循環的に流れることができる。
【図面の簡単な説明】
【００１５】
【図１】従来の放熱装置の一例の斜視図である。
【図２】図１における放熱装置の内部構成が示されている横断面図である。
【図３】本考案の放熱装置の第１の実施形態の構成が示されている斜視図である。
【図４】本考案の放熱装置の第１の実施形態に使用される熱交換ユニットの構成が示されている斜視図である。
【図５】本考案の放熱装置の第１の実施形態において冷媒の流れ方向が示されている説明図である。
【図６】本考案の放熱装置の第２の実施形態の構成が示されている斜視図である。
【図７】本考案の放熱装置の第２の実施形態の構成が示されている側面図である。
【図８】本考案の放熱装置の第３の実施形態の構成が示されている側面図である。
【考案を実施するための形態】
【００１６】
以下では図面を参照しながら、本考案の各好ましい実施形態について詳しく説明する。
【００１７】
図３〜図５には、本考案の第１の好ましい実施形態が示されている。図３に示されているように、この放熱装置は、冷媒が貯蔵されている冷媒貯蔵ユニット４と、一面３１が放熱対象９に接触することができ、且つ、下端が冷媒貯蔵ユニット４に取り付けられている熱交換ユニット３と、両端がそれぞれ冷媒貯蔵ユニット４と熱交換ユニット３の上端とに連通している回流ユニット５と、を備えている。
【００１８】
熱交換ユニット３は、図４に示されているように、内部空間が複数の仕切り板３１２によって複数の縦方向流路３１３に区切られていると共に、該複数の縦方向流路３１３は、いずれも下端で冷媒貯蔵ユニット４に連通し、上端で回流ユニット５に連通している。
【００１９】
図３に示されているように、冷媒貯蔵ユニット４及び回流ユニット５については、それぞれの両端に貯蔵タンク４１１、４１１と貯蔵タンク５１１、５１１とが配置されていると共に、両端にある貯蔵タンク４１１、４１１同士と貯蔵タンク５１１、５１１同士とをそれぞれ連通させる複数本の連通路４１２、５１２と、隣り合う２つの連通路４１２または連通路５１２の間に介在している複数の放熱フィン４１３、５１３と、を備えるように構成されている。図示のように、冷媒貯蔵ユニット４は一端の貯蔵タンク４１１（４１１ａ）が熱交換ユニット３に連結且つ連通していると共に、該一端の反対側にある他端の貯蔵タンク４１１（４１１ｂ）に取り付けられている連通パイプ４１５を介して回流ユニット５の貯蔵タンク５１１（５１１ａ）に連通している。
【００２０】
また、回流ユニット５は、貯蔵タンク５１１（５１１ａ）の反対側／上側にある他方の貯蔵タンク５１１（５１１ｂ）で熱交換ユニット３の複数の縦方向流路３１３の上端に連通している。
【００２１】
この構成により、本考案の第１の好ましい実施形態の放熱装置は、図５に示されているように、冷媒貯蔵ユニット４に貯蔵されている冷媒が加熱されると気化し、熱交換ユニット３に沿って上昇してから、回流ユニット５を経由して冷却されて液体に凝結して冷媒貯蔵ユニット４に戻ることができる。
【００２２】
図６には、本考案の第２の好ましい実施形態が示されている。図６に示されているように、この放熱装置は、冷媒が貯蔵されている２つの冷媒貯蔵ユニット４と、一面３１が放熱対象９に接触することができると共に、該一面の反対側に複数の放熱フィン３１５が形成され、且つ、下端が該２つの冷媒貯蔵ユニット４における一方に取り付けられている熱交換ユニット３と、を備えている。
【００２３】
図７には、この第２の好ましい実施形態の使用状態が示されている。図示のように、この実施形態において、熱交換ユニット３が放熱対象９に接触して熱を吸収すると、冷媒貯蔵ユニット４に貯蔵されている冷媒は、熱交換ユニット３内に区切られた縦方向流路３１３に沿って上昇し、熱交換を行いながら熱を放熱フィン３１５に伝導して大気に発散させる。放熱対象９の温度が下がり、または一面３１が放熱対象から離れると、熱交換ユニット３の縦方向流路３１３に進入した冷媒は液体に凝結して冷媒貯蔵ユニット４に戻ることができる。また、図７に示されているように、熱交換ユニット３は、下端が冷媒貯蔵ユニット４に取り付けられ、内部に複数の縦方向流路３１３が区切られていると共に、上端に開口が形成されている本体３０と、該開口を封止するように本体３０の上端に取り付けられる蓋３２と、からなり、更に、蓋３２に凹陥部３１６が形成されており、蓋３２が本体３０に取り付けられると、この凹陥部３１６は本体３０内に区切られた複数の縦方向流路３１３を連通させることができる横方向流路を画成する。
【００２４】
図８には、本考案の第３の好ましい実施形態が示されている。図８に示されているように、この放熱装置は、冷媒が貯蔵されている１つの冷媒貯蔵ユニット４と、下端が該２つの冷媒貯蔵ユニット４における一方に取り付けられていると共に、一面３１が放熱対象９に接触することができ、該一面の反対側に複数の放熱フィン３１５が形成され、さらに複数の放熱フィン３１５の先端にファン３１７が取り付けられている熱交換ユニット３と、を備えている。
【００２５】
この第３の好ましい実施形態は第２の好ましい実施形態と類似する機能を発揮することができると共に、ファン３１７が取り付けられていることによって、その放熱性能が更に高められている。
【産業上の利用可能性】
【００２６】
上記構成により、本考案は放熱対象から吸収した熱が冷媒貯蔵ユニットに伝わると、冷媒貯蔵ユニットに貯蔵されている冷媒がその熱によって気化され、気化された冷媒は熱交換ユニットの内部空間に区切られている複数の流路に沿って上昇して、熱交換ユニットと冷媒貯蔵ユニットとの間で循環的に流れることができる。
【符号の説明】
【００２７】
３  熱交換ユニット
３０  本体
３１  一面
３１２  仕切り板
３１３  縦方向流路
３１５  放熱フィン
３１６  凹陥部
３１７  ファン
３２  蓋
４  冷媒貯蔵ユニット
４１１  貯蔵タンク
４１２  連通路
４１３  放熱フィン
４１５  連通パイプ
５  回流ユニット
５１１  貯蔵タンク
５１２  連通路
５１３  放熱フィン
９  放熱対象
【図１】
0003181289.tif 000003
【図２】
0003181289.tif 000004
【図３】
0003181289.tif 000005
【図４】
0003181289.tif 000006
【図５】
0003181289.tif 000007
【図６】
0003181289.tif 000008
【図７】
0003181289.tif 000009
【図８】
0003181289.tif 000010